(57)【要約】      （修正有）【課題】個人情報を完全に秘匿でき、かつ記載するスペースを十分に有する、コンパクトな返信用はがき付き印刷物を提供する。【解決手段】返信用はがき付き印刷物１が、左右に開き切り離し可能な切り取り線５を有し、切り離された一方の用紙は個人情報記載欄３４を有する返信用はがき３となり、もう一方の用紙は利用者控え又は所持用印刷物２となる。前記利用者控え又は所持用印刷物となる用紙が前記返信用はがきとなる用紙に剥離可能に圧着されており、前記返信用はがきとなる用紙は、２枚の紙が剥離不能に接着されて構成されており、その相互に接着される面には各々地紋が印刷されており、個人情報記載欄を有する面には再接着可能かつ塗布後に文字の記入が可能な糊が塗布され、用紙の大きさが通常はがきより大きく、折って重ねて返信用はがきの大きさにするための折り目４を有する。【選択図】  図２
0003130178.tif 000002
【実用新案登録請求の範囲】
【請求項１】
左右に開き切り離し可能な切り取り線（５）を有し、切り離された一方の用紙は個人情報記載欄を有する返信用はがきとなり、もう一方の用紙は利用者控え又は所持用印刷物となる、返信用はがき付き印刷物（１）であり、
前記利用者控え又は所持用印刷物となる用紙（２）が前記返信用はがきとなる用紙（３）に剥離可能に圧着されており、
前記返信用はがきとなる用紙（３）は、２枚の紙（３１，３２）が剥離不能に接着されて構成されており、その相互に接着される面（３３，３３’）には各々地紋が印刷されており、個人情報記載欄（３４，３４’）を有する面には再接着可能かつ塗布後に文字の記入が可能な糊が塗布され、用紙の大きさが通常はがきより大きく、折って重ねて返信用はがきの大きさにするための折り目（４）を有することを特徴とする返信用はがき付き印刷物。
【請求項２】
前記返信用はがきとなる用紙の大きさが往復はがきの大きさであることを特徴とする請求項１に記載の返信用はがき付き印刷物。
【考案の詳細な説明】
【技術分野】
【０００１】
個人情報を記載する欄を有するコンパクトな返信用はがき付き印刷物に関する。
【背景技術】
【０００２】
従来、はがき等に個人の住所、氏名、電話番号、性別、年令、等の個人情報等を記載して送信先に送信する場合、個人情報を送信先以外の第三者に見られないように当該個人情報を記載した欄に再接着可能な糊を塗布した用紙を接着したりすることが行われていた。
【０００３】
また、はがき本体に秘匿したい箇所を秘匿する秘匿シール部が設けられ、はがきの秘匿したい箇所を手間をかけずに簡単に出来る技術がある（例えば、特許文献１参照）。
さらに、裏面からもみえないように完全に秘匿できる用紙を示した技術も本出願人により開示されている（例えば、特許文献２参照）。
【０００４】
【特許文献１】登録実用新案第３１０８４２９号（［０００５］，［０００６］）
【特許文献２】登録実用新案第３１１６７４７号（請求項１〜３）
【考案の開示】
【考案が解決しようとする課題】
【０００５】
しかし、上記に示された技術では、情報を秘匿できる部分は一部分に限られる、という問題点があった。
すなわち、近年の取引においては個人情報を記入すべき事項が大変多い場合があり、はがきの一部に設けるだけでは十分でない場合が生じてきている。
例えば、放送局の受信利用のための記載欄と、それに付随するクレジットカード支払いの記載欄を同時に設けたい場合などである。このような場合は、はがき２枚分にわたるスペースが必要である。
【０００６】
しかしながら、このような個人情報を完全に秘匿しつつ、かつ記載するスペースを十分に有する、コンパクトな返信用はがき付き印刷物は存在しなかった。
【０００７】
そこで、本考案は、個人情報を完全に秘匿でき、かつ記載するスペースを十分に有する、コンパクトな返信用はがき付き印刷物を提供することを目的とする。
【課題を解決するための手段】
【０００８】
前記目的を達成するため、本考案の返信用はがき付き印刷物は、左右に開き切り離し可能な切り取り線を有し、切り離された一方の用紙は個人情報記載欄を有する返信用はがきとなり、もう一方の用紙は利用者控え又は所持用印刷物となる、返信用はがき付き印刷物であり、
前記利用者控え又は所持用印刷物となる用紙が前記返信用はがきとなる用紙に剥離可能に圧着されており、
前記返信用はがきとなる用紙は、２枚の紙が剥離不能に接着されて構成されており、その相互に接着される面には各々地紋が印刷されており、個人情報記載欄を有する面には再接着可能かつ塗布後に文字の記入が可能な糊が塗布され、用紙の大きさが通常はがきより大きく、折って重ねて返信用はがきの大きさにするための折り目を有すること、からなる。
【０００９】
また、前記返信用はがきとなる用紙の大きさが往復はがきの大きさであることが好適である。
【考案の効果】
【００１０】
本考案は以上の構成を有するので、個人情報を完全に秘匿でき、かつ記載するスペースを十分に有する、コンパクトな返信用はがき付き印刷物を提供することができる。
【考案を実施するための最良の形態】
【００１１】
本考案の実施の形態の例を図面に基づいて説明する。
【００１２】
図１は、本考案の返信用はがき付き印刷物を示す図である。
本考案の返信用はがき付き印刷物１は、利用者控え又は所持用印刷物となる用紙２が前記返信用はがきとなる用紙３に剥離可能に圧着されて構成されているものである。そして、折り目４に従い、はがき状のコンパクトな大きさに折り畳まれた状態で利用者が手にするものである。
【００１３】
図２は返信用はがき付き印刷物を左右に開こうとしている状態を示す図である。
圧着された利用者控え又は所持用印刷物となる用紙２と個人情報記載欄３４，３４’を有する返信用はがきとなる用紙３とは、左右に開いて切り取り線５よって、利用者控え又は所持用印刷物となる用紙２と返信用はがきとなる用紙３とに分けられるものである。
【００１４】
図３は、返信用はがきとなる用紙の構成を示す図である。
返信用はがきとなる用紙３は、２枚の紙３１及び３２により構成されている。即ち、２枚の紙３１及び３２は互いに剥離不能に接着されて一枚の返信用はがきとなる用紙３を構成しているものである。
そして、互いに接着する面３３，３３’には、地紋が印刷されている。このため、返信用はがきとなる用紙３に記載された個人情報は、第３者が透かしても見えないように完全に秘匿できるものである。
【００１５】
また、個人情報記載欄３４，３４’を有する面には、再接着可能かつ塗布後に文字の記入が可能な糊が塗布されている。
このため利用者は、利用者控え又は所持用印刷物となる用紙２と返信用はがきとなる用紙３とを左右に開いて切り分けることができ、さらに個人情報記載欄３４，３４’に文字を記入でき、かつ記入後に折り目４に沿って折り重ねて返信用はがきの大きさにするものである。
なお、再接着可能かつ塗布後に文字の記入が可能な糊が塗布されている面と反対側の面は、折りたたまれると返信用はがき付き印刷物及び返信はがきの表面となるため（図１，図４参照）、通常印刷物の表紙や宛先等が印刷されているものである。
【００１６】
そして、返信用はがきとなる用紙３の大きさは、日本郵政公社の示す通常はがき（縦15.4cm，横10.7cm）より大きい。そして、利用者は折り目４に沿って折りたたみ、通常はがきの大きさにするものである（図４参照）。例えば、返信用はがきとなる用紙３の大きさが往復はがきの大きさ（縦15.4cm，横21.4cm）であれば、真ん中に折り目４を設けることとなる。また、返信用はがきとなる用紙３の大きさが往復はがきの大きさより小さければ、折りたたまれると通常はがきの大きさとなる位置に折り目４を設ければよい。
このため、製造者は個人情報記入欄３４，３４’を通常はがきより大きく設けることが出来る。しかも折りたたまれた返信用はがきは、第３者は透かして見ることが出来ず、個人情報記入欄３４，３４’を完全に秘匿できるものである。
【００１７】
前述のように、利用者が手に取る際には、利用者控え又は所持用印刷物となる用紙２は返信用はがきとなる用紙３に剥離可能に圧着されている。そして左右に開き切り取り線５に沿って切り離す。そのため、この用紙の大きさは通常返信用はがきとなる用紙３と同じ大きさである。
この利用者控え又は所持用印刷物となる用紙２には、例えば個人情報記入欄３４，３４’の記入例、問い合わせ先、本考案の返信用はがきとなる用紙３などを印刷しておくものである。
なお、さらにこの利用者控え又は所持用印刷物となる用紙２は、さらに別の切り取り線を設けたり、スクラッチ部分を設けるなど、利用者の目的により通常の設計変更が可能であることは言うまでもない。
【００１８】
図４は、折りたたまれた返信用はがきを示す図である。
個人情報記入欄３４，３４’に個人情報が記入された返信用はがきとなる用紙３は、折り目４に沿い折りたたまれて、はがきとして使用できるものである。この際、個人情報は透かして見ることができず、完全に秘匿される。
【図面の簡単な説明】
【００１９】
【図１】本考案の返信用はがき付き印刷物を示す図である。
【図２】返信用はがき付き印刷物を左右に開こうとしている状態を示す図である。
【図３】返信用はがきとなる用紙の構成を示す図である。
【図４】折りたたまれた返信用はがきを示す図である。
【符号の説明】
【００２０】
１  返信用はがき付き印刷物
２  利用者控え又は所持用印刷物となる用紙
３  返信用はがきとなる用紙
３１  ２枚の紙
３２  ２枚の紙
３３，３３’  互いに接着する面
３４，３４’  個人情報記載欄
４  折り目
５  切り取り線
【図１】
0003130178.tif 000003
【図２】
0003130178.tif 000004
【図３】
0003130178.tif 000005
【図４】
0003130178.tif 000006